(57)【特許請求の範囲】
【請求項１】
基台の支持軸に左右一対の可動翼を軸支させるとともに、この基台の支持軸の上下に左右非対称に水平な案内孔を設け、また基台の裏面にはソレノイドにより水平方向にスライドされる作動部材を設けてこの作動部材に前記案内孔から突出する二個の作動突片を設け、それぞれの先端を各可動翼の位置規制用凹部に係合させることにより、ソレノイドへの通電時に各可動翼を開くようにしたパチンコ機の球入賞装置であって、
各作動突片を角型とし、支持軸の上側にある作動突片は支持軸よりも内側においてその下面を可動翼の位置規制用凹部の水平面と当接させて可動翼の回転を阻止し、支持軸の下側にある作動突片は支持軸よりも外側においてその上面を可動翼の位置規制用凹部の水平面と当接させて可動翼の回転を阻止することによって、可動翼側からの外力により可動翼が誤って開くことを防止したうえに、
各作動突片が開き方向に移動するとき、その垂直面により各可動翼の位置規制用凹部の側面を押して各可動翼を開くようにしたことを特徴とするパチンコ機の玉入賞装置。
【発明の詳細な説明】
【０００１】
【発明の属する技術分野】
本発明は、チュ−リップと呼ばれる開閉式のパチンコ機の玉入賞装置に関するものである。
【０００２】
【従来の技術】
上記のような開閉式のパチンコ機の玉入賞装置は従来から広く知られており、その駆動手段についても多くの提案が行われている。しかしその多くは水平軸を中心として揺動するリンクにより可動翼を開閉させるようにしたもので、このリンクを駆動するためにソレノイドを盤の裏面に垂直に設けたりする必要があり、構造が複雑で嵩張る欠点があった。またこのような従来のものは強力なソレノイドを用いないと可動翼側からの力により誤って開いてしまうおそれがあるうえ、各部品の組み付け誤差等によって、閉鎖時のがたつきが大きくなるという欠点もあった。
【０００３】
【発明が解決しようとする課題】
本発明は上記した従来の欠点を解決して、構造が簡素化され、強力なソレノイドを用いなくても可動翼側からの力により誤って開いてしまうおそれがなく、閉鎖時のがたつきも小さいパチンコ機の玉入賞装置を提供するためになされたものである。
【０００４】
【課題を解決するための手段】
上記の課題を解決するためになされた本発明は、基台の支持軸に左右一対の可動翼を軸支させるとともに、この基台の支持軸の上下に左右非対称に水平な案内孔を設け、また基台の裏面にはソレノイドにより水平方向にスライドされる作動部材を設けてこの作動部材に前記案内孔から突出する二個の作動突片を設け、それぞれの先端を各可動翼の位置規制用凹部に係合させることにより、ソレノイドへの通電時に各可動翼を開くようにしたパチンコ機の球入賞装置であって、
各作動突片を角型とし、支持軸の上側にある作動突片は支持軸よりも内側においてその下面を可動翼の位置規制用凹部の水平面と当接させて可動翼の回転を阻止し、支持軸の下側にある作動突片は支持軸よりも外側においてその上面を可動翼の位置規制用凹部の水平面と当接させて可動翼の回転を阻止することによって、可動翼側からの外力により可動翼が誤って開くことを防止したうえに、
各作動突片が開き方向に移動するとき、その垂直面により各可動翼の位置規制用凹部の側面を押して各可動翼を開くようにしたことを特徴とするものである。
【０００５】
【発明の実施の形態】
以下に本発明の好ましい実施の形態を、図面を参照しつつ詳細に説明する。
図１は本発明の玉入賞装置の表側の斜視図、図２は裏側の斜視図である。
これらの図中、１は遊技盤に固定される基台であり、その表面には二本の支持軸２ａ、２ｂが突設されている。またこれらの支持軸２ａ、２ｂには、左右一対の可動翼３ａ、３ｂの下部が軸支されている。
【０００６】
この基台１の上下には、二つの水平な案内孔４ａ、４ｂが左右非対称にかつ水平に形成されている。一方の案内孔４ａは支持軸２ａの上側に形成されたものであり、他方の案内孔４ｂは支持軸２ｂの下側に形成されたものである。基台１の裏面にはソレノイド５と、このソレノイド５により水平方向にスライドされる作動部材６とが設けられている。この作動部材６はソレノイド５のプランジャヘッド７との係合部８を備え、ソレノイド５に通電されたときに図中に示した開き方向にスライドされ、通電がオフとなったときにはソレノイド５に内蔵されているバネ等の復帰手段（図示せず）によって閉じ方向に戻るようになっている。なお、ソレノイド５は図７、図８に示すように遊技盤のベニヤ板の板厚内に収納することもできる。
【０００７】
この作動部材６には、上記した案内孔４ａ、４ｂから突出する二個の作動突片９ａ、９ｂが一体的に設けられている。一方の作動突片９ａの先端は可動翼３ａの位置規制用凹部１０ａに係合し、他方の作動突片９ｂの先端は可動翼３ｂの位置規制用凹部１０ｂに係合させてある。
【０００８】
図３はこの部分を拡大して示した図である。二個の作動突片９ａ、９ｂはいずれも水平面と垂直面とを備えた角型の断面形状を有するものである。支持軸２ａの上側にある作動突片９ａは支持軸２ａよりも中心線寄りの内側においてその下面を可動翼３ａの位置規制用凹部１０ａと当接させ、支持軸２ｂの下側にある作動突片９ｂは支持軸２ｂよりも外側においてその上面を可動翼３ｂの位置規制用凹部１０ｂと当接させている。
【０００９】
この部分を更に詳細に説明すると、可動翼３ａの位置規制用凹部１０ａは支持軸２ａよりも内側上方に形成された孔状のもので、正方形の孔の支持軸２ａ寄りの部分を魚の尾のような形に拡大した形である。また、可動翼３ｂの位置規制用凹部１０ｂは上記の可動翼３ａの位置規制用凹部１０ａを左右及び上下方向に反転させたような形である。ただしこの位置規制用凹部１０ｂは可動翼３ｂの端部に形成されているため、正方形の二辺のみが残された形となっている。
【００１０】
まずソレノイド５に通電されていないときには、作動部材６はソレノイド５に内蔵されている復帰手段によって閉じ方向に保たれ、二個の作動突片９ａ、９ｂは図３の位置にある。この状態では支持軸２ａの上側にある作動突片９ａは、支持軸２ａよりも内側においてその下面を可動翼３ａの位置規制用凹部１０ａの水平面と当接させている。このため、可動翼３ａは支持軸２ａを中心として時計方向に回転することはできず、ロックされた状態に保たれる。また支持軸２ｂの下側にある作動突片９ｂは、支持軸２ｂよりも外側においてその上面を可動翼３ｂの位置規制用凹部１０ｂの水平面と当接させている。このため、可動翼３ｂは支持軸２ｂを中心として反時計方向に回転することはできず、ロックされた状態に保たれる。しかも仮に可動翼３ａ、３ｂ側から開き方向の力が加えられても、その力は作動突片９ａ、９ｂを上下方向に押すだけであって水平方向には作用しない。従ってこの状態では可動翼３ａ、３ｂが誤って開くおそれはない。
【００１１】
次にソレノイド５に通電されると、作動突片９ａ、９ｂは開き方向（図３〜図６の右方向）に移動し、まずそれらの右側の垂直面が位置規制用凹部１０ａ、１０ｂの垂直面に当たる。これと同時に作動突片９ａ、９ｂはそれまで係合していた位置規制用凹部１０ａ、１０ｂの水平面から離れる。そして更に作動突片９ａ、９ｂが開き方向に移動すると、図５に示すように作動突片９ａ、９ｂの右側の垂直面が位置規制用凹部１０ａ、１０ｂのコ−ナ−部を押し、可動翼３ａ、３ｂを開く。最後に図６の状態となると作動突片９ａ、９ｂの右側の垂直面が位置規制用凹部１０ａ、１０ｂの垂直面に当たり、同時にストッパ−１１が可動翼３ａ、３ｂの揺動角度規制面１２に当たって停止する。
【００１２】
なお、ソレノイド５への通電が遮断されると作動部材６はソレノイド５に内蔵されている復帰手段によって閉じ方向に移動されるため、可動翼３ａ、３ｂは直ちにロックされた状態に戻り、誤って玉が入賞することがない。
【００１３】
このように本発明のパチンコ機の玉入賞装置は、基台と平行にスライドされる作動部材によりソレノイドへの通電時に各可動翼を開くようにしたので、従来品と比較して構造が簡素化され、また可動翼側からの力により誤って開いてしまうおそれがないためソレノイドを小型化し、遊技盤のベニヤ板の板厚内に収納することもできる。さらに本発明のパチンコ機の玉入賞装置は、共通の基台に支持軸と案内孔を設け、作動部材と可動翼とを取り付けたので、組み付け誤差が生じにくく、閉鎖時のがたつきも小さくなる等の多くの利点がある。
【図面の簡単な説明】
【図１】本発明の玉入賞装置の表側の斜視図である。
【図２】本発明の玉入賞装置の裏側の斜視図である。
【図３】作動を示す要部の拡大図である。
【図４】作動を示す要部の拡大図
【図５】作動を示す要部の拡大図である。
【図６】作動を示す要部の拡大図である。
【図７】可動翼が閉じた状態の説明図であり、(a) は水平断面図、(b) は一部切欠正面図である。
【図８】可動翼が開いた状態の説明図であり、(a) は水平断面図、(b) は一部切欠正面図である。
【符号の説明】
１  基台
２ａ  支持軸
２ｂ  支持軸
３ａ  可動翼
３ｂ  可動翼
４ａ  案内孔
４ｂ  案内孔
５  ソレノイド
６  作動部材
７  プランジャヘッド
８  係合部
９ａ  作動突片
９ｂ  作動突片
１０ａ  可動翼３ａの位置規制用凹部
１０ｂ  可動翼３ｂの位置規制用凹部
１１  ストッパ−
１２  可動翼の揺動角度規制面
【図１】
0004117808.tif 000002
【図２】
0004117808.tif 000003
【図３】
0004117808.tif 000004
【図４】
0004117808.tif 000005
【図５】
0004117808.tif 000006
【図６】
0004117808.tif 000007
【図７】
0004117808.tif 000008
【図８】
0004117808.tif 000009